(57)【特許請求の範囲】
【請求項１】
ローラとブシュとの間に複数のころを配置してころ軸受を構成し該ころ軸受を組み込んだローラチェーンにおいて、
前記ローラの両端部にそれぞれ配置したリング状保持器の内側面側に凹部が形成されるとともに、前記凹部に連続して半円状のポケットが複数形成され、前記リング状保持器のポケットでころの両端を保持して案内するようにしたことを特徴とするころ軸受を組み込んだローラチェーン。
【請求項２】
ローラとブシュとの間に複数のころを配置してころ軸受を構成し該ころ軸受を組み込んだローラチェーンにおいて、
前記ローラの両端部にそれぞれ配置したリング状保持器の内側面側にポケットが複数形成され、前記リング状保持器のポケットでころの両端を保持して案内するように構成するとともに、前記ローラとリング状保持器との間に密封手段を設けたことを特徴とするころ軸受を組み込んだローラチェーン。
【請求項３】
ローラとブシュとの間に複数のころを配置してころ軸受を構成し該ころ軸受を組み込んだローラチェーンにおいて、
前記ローラの内外周面がストレートな円筒状に形成されているとともに、前記ローラの両端部にそれぞれ配置したリング状保持器の内側面側に平面視略四角形のポケットが複数形成され、前記リング状保持器のポケットでころの両端を保持して案内するようにしたことを特徴とするころ軸受を組み込んだローラチェーン。
【請求項４】
ローラとブシュとの間に複数のころを配置してころ軸受を構成し該ころ軸受を組み込んだローラチェーンにおいて、
前記ころの両端部に小径部を有しているとともに、前記ローラの両端部にそれぞれ配置したリング状保持器の内側面側にころの小径部と同径のポケットが複数形成され、前記リング状保持器のポケットでころの小径部を保持して案内するようにしたことを特徴とするころ軸受を組み込んだローラチェーン。
【請求項５】
ローラとピンとの間に複数のころを配置してころ軸受を構成し該ころ軸受を組み込んだローラチェーンにおいて、
前記ローラの両端部にそれぞれ配置したリング状保持器の内側面側に凹部が形成されるとともに、前記凹部に連続して半円状のポケットが複数形成され、前記リング状保持器のポケットでころの両端を保持して案内するようにしたことを特徴とするころ軸受を組み込んだローラチェーン。
【発明の詳細な説明】
【０００１】
【発明の属する技術分野】
本発明は、ころ軸受を組み込んだローラチェーンに関するものである。
【０００２】
【従来の技術】
従来例として、特開昭６２−４１２２号公報（特公平４−７８５２３号公報）には、ころ軸受を組み込んだローラチェーンが開示されている。
図１４は、特開昭６２−４１２２号公報（特公平４−７８５２３号公報）に開示されたローラチェーンの断面図である。図１４に示すローラチェーン１は、一対の内リンクプレート２に両端部が連結されたブシュ３の外周面に複数のころ４が配置され、複数のころ４を囲んでローラ５が装着され、ローラ５と内リンクプレート２との間の間隙にスラスト軸受板６が介在されている。また、内リンクプレート２の外側に一対の外リンクプレート７が配置され、一対の外リンクプレート７がブシュ３を貫通するピン８によって連結されている。
さらに、ローラ５の両端部には内向きのつば５ａが一体的に形成されており、これら内向きのつば５ａ，５ａにより複数のころ４が保持して案内されている。また、ローラ５とブシュ３間にはグリース等の潤滑剤が充填されている。
そして、このローラチェーン１においては、ローラ５がころ軸受の外輪として機能し、複数のころ４がころ軸受の転動体として機能し、ブシュ３がころ軸受の内輪として機能しており、したがって、ローラ５と複数のころ４とブシュ３とでころ軸受を構成している。
【０００３】
また、別の従来例として、実開平２−７２１９号公報（実公平７−１２３２７号公報）にも、ころ軸受を組み込んだローラチェーンが開示されている。
図１５は、実開平２−７２１９号公報（実公平７−１２３２７号公報）に開示されたローラチェーンの断面図である。図１５に示すローラチェーン１’は、一対の内リンクプレート２’に両端部が連結されたブシュ３’の外周面に複数のころ４’が配置され、複数のころ４’を囲んでローラ５’が装着され、ローラ５’と内リンクプレート２’との間の間隙にスラスト軸受板６’が介在されている。また、内リンクプレート２’の外側に一対の外リンクプレート７’が配置され、一対の外リンクプレート７’がブシュ３’を貫通するピン８’によって連結されている。
さらに、ローラ５’はその両端部に内向きのつば５ａはなく、ローラ５’はその内外周面がストレートになっており、複数のころ４’は一対のスラスト軸受板６’間で保持して案内されている。また、ローラ５’とブシュ３’間にはグリース等の潤滑剤が充填されている。
そして、このローラチェーン１’においては、ローラ５’がころ軸受の外輪として機能し、複数のころ４’がころ軸受の転動体として機能し、ブシュ３’がころ軸受の内輪として機能しており、したがって、ローラ５’と複数のころ４’とブシュ３’とでころ軸受を構成している。
【０００４】
さらに、従来、一般にころ軸受には、保持器を組み込んだ形式のものと保持器を使用しない形式のものとがある。そして、ころを保持して案内する保持器は、各ころ全体を保持して案内するポケットを有するものが一般的である。
【０００５】
【発明が解決しようとする課題】
しかしながら、図１４に示すローラチェーン１は、次のような問題がある。すなわち、（１）複数のころ４は、ローラ５とブシュ３の間に自由に収まっているだけであり、ころ４同士の接触が生じ、それにともない摩耗が発生し、ローラ５の円滑な回転を阻害する。
（２）ころ４同士の接触時に衝突音が生じ、また、衝撃の繰り返しにより疲労破壊も生じる可能性がある。
（３）ローラ５にスラスト荷重が加わると複数のころ４にスキュー（ころ４が正規の自転軸に対して傾くこと）が生じ、つば５ａところ４が摩耗し、早期にころ４がロックして動かなくなり、ローラ５の円滑な回転を阻害する。
（４）ローラ５の両端部のつば５ａの内側面ところ４の端面が摺動することで、つば５ａところ４が摩耗し、ローラ５の円滑な回転を阻害する。
（５）つば５ａの内側面は、製作上、表面粗度を上げたり、表面処理を実施するのが困難な箇所であるので、ローラ５の生産性が低い。
（６）ローラ５は、その両端部につば５ａ，５ａが一体的に形成されるものであるから、ころ４の干渉を防ぐためあるいは切削加工及び研削加工のためにローラ５の凹部５ｂの隅部に逃げ５ｃ（図１４の拡大部に図示）を設ける必要があり、切削加工及び研削加工に非常に手間がかかり、ローラ５の生産性が低い。
（７）組立時に、ころ４をローラ５の凹部５ｂ内に先に装填した後、組み立てる必要があるため、これでは自由度がなく、ころ４の脱落などが生じ、組立性が低い。
【０００６】
また、図１５に示すローラチェーン１’は、次のような問題がある。
（８）ローラ５’には内向きつば５’ａがないため、ローラ５’とスラスト軸受板６’との接触面積が狭く、ローラ５’に加わるスラスト荷重は局部的にスラスト軸受板６’が受けるので摩耗が進行しやすい。
（９）ローラ５’とスラスト軸受板６’とが完全に独立であるため、スラスト軸受板６’はころ４’に生じたスキューを規制できず、容易にスキューが生じる。
（１０）ローラ５’とスラスト軸受板６’との間には隙間が生じ、この隙間からグリース等の潤滑剤が容易に外部に漏れて枯渇し、摩耗が早期に進行する。また、この隙間から外部の粉塵等が容易に侵入し、潤滑剤の劣化や摩耗を促進する。
【０００７】
また、前述した保持器を組み込んだ一般的なころ軸受においては、その保持器が各ころ全体を保持して案内するポケットを有するものであるから、次のような問題がある。
（１１）各ころ全体を各ポケットが抱きかかえているので、各ころ間のスペースが小さく、また、保持器が入り組んでいるので、ころ軸受内に均一にグリース等の潤滑剤を保持することができず、その保持量も少ない。
（１２）各ころ全体を保持するポケットを精度良く加工しなければならず、保持器の製作が困難で、非常に高価である。
（１３）同一直径のころを用いたころ軸受でも、ころの長さが変わればその長さに合ったポケットを有する保持器が各々必要となり、非常に多種類の保持器を揃える必要があり、部品管理が大変でコストがかかる。
【０００８】
そこで、本発明は、前述した従来のころ軸受における問題点を解決し、ころ同士の接触がなく、潤滑剤が長期に亙って保持でき、ころにスキューが生じにくく、スラスト荷重に強く、さらに生産性及び組立性がよいころ軸受及びころ軸受を組み込んだローラチェーンを提供することを目的とするものである。
【０００９】
【課題を解決するための手段】
上記目的を達成するために、請求項１記載の発明であるころ軸受を組み込んだローラチェーンは、ローラとブシュとの間に複数のころを配置してころ軸受を構成し該ころ軸受を組み込んだローラチェーンにおいて、前記ローラの両端部にそれぞれ配置したリング状保持器の内側面側に凹部が形成されるとともに、前記凹部に連続して半円状のポケットが複数形成され、前記リング状保持器のポケットでころの両端を保持して案内するようにしたものである。
【００１０】
請求項２記載の発明であるころ軸受を組み込んだローラチェーンは、ローラとブシュとの間に複数のころを配置してころ軸受を構成し該ころ軸受を組み込んだローラチェーンにおいて、前記ローラの両端部にそれぞれ配置したリング状保持器の内側面側にポケットが複数形成され、前記リング状保持器のポケットでころの両端を保持して案内するように構成するとともに、前記ローラとリング状保持器との間に密封手段を設けたものである。
【００１１】
請求項３記載の発明であるころ軸受を組み込んだローラチェーンは、ローラとブシュとの間に複数のころを配置してころ軸受を構成し該ころ軸受を組み込んだローラチェーンにおいて、前記ローラの内外周面がストレートな円筒状に形成されているとともに、前記ローラの両端部にそれぞれ配置したリング状保持器の内側面側に平面視略四角形のポケットが複数形成され、前記リング状保持器のポケットでころの両端を保持して案内するようにしたものである。
【００１２】
請求項４記載の発明であるころ軸受を組み込んだローラチェーンは、ローラとブシュとの間に複数のころを配置してころ軸受を構成し該ころ軸受を組み込んだローラチェーンにおいて、前記ころの両端部に小径部を有しているとともに、前記ローラの両端部にそれぞれ配置したリング状保持器の内側面側にころの小径部と同径のポケットが複数形成され、前記リング状保持器のポケットでころの小径部を保持して案内するようにしたものである。
【００１３】
請求項５記載の発明であるころ軸受を組み込んだローラチェーンは、ローラとピンとの間に複数のころを配置してころ軸受を構成し該ころ軸受を組み込んだローラチェーンにおいて、前記ローラの両端部にそれぞれ配置したリング状保持器の内側面側に凹部が形成されるとともに、前記凹部に連続して半円状のポケットが複数形成され、前記リング状保持器のポケットでころの両端を保持して案内するようにしたものである。
【００１４】
【作用】
そこで、上述したような本発明のころ軸受を組み込んだローラチェーンは、特有の構成を備えていることによって、以下のような作用を奏する。
まず、ローラが回転する時、ローラの内周面に接するころが自転して、転がり接触が生じ、このころの自転によってころの両端を保持して案内するリング状保持器はブシュまたはピンの廻りを回転する。このとき、ころの両端がリング状保持器により保持して案内されるため、ころ同士の接触や摩耗がなく、衝突音も生じない。
さらに、ころ同士の間に一定の隙間があり、グリース等の潤滑剤が適量でかつ均等に保持できる。さらに、摩耗粉や外部からの粉塵等の侵入物に対して逃げ（保持）のスペースがあるため、耐摩耗性が向上する。リング状保持器の回転方向はローラの回転方向と同じである。これにより、ローラとブシュまたはピンの間でころが規則正しく案内され、ローラは円滑に回転する。
【００１５】
ころを保持して案内するポケットは、ころを強く把持したり、固定しないため、ころの自転に伴い、リング状保持器との間では若干の滑りが生じるが、ころ及びリング状保持器は、ほとんど摩耗しない。また、ラジアル荷重は、ローラ、ころ、ブシュまたはピンには作用するが、リング状保持器にはほとんど作用しないため、これによって摩耗や破壊が生じない。
【００１６】
リング状保持器の回転数は、ころの直径や公転半径に関係なくローラの回転数の約半分である。
したがって、リング状保持器はローラの回転よりも大きく減速されて回転するため、ローラがスラスト荷重を受けた場合に、リング状保持器と内リンクプレートとの摺動速度は遅くなる。このため、リング状保持器の摩耗が抑制できる。
【００１７】
【発明の実施の形態】
本請求項１に係る発明の実施形態を図１，２を参照して説明する。
図１は、本請求項１に係る発明のころ軸受を組み込んだローラチェーンの断面図である。図２は、図１のリング状保持器を示すもので、（Ａ）はその断面図であり、（Ｂ）はその平面図である。
まず、図１に示すローラチェーン１１は、一対の内リンクプレート１２に両端部が連結されたブシュ１３の外周面にころ１４が１０個配置され、これらのころ１４を囲んでローラ１５が装着されている。また、内リンクプレート１２の外側に一対の外リンクプレート１７が配置され、一対の外リンクプレート１７がブシュ１３を貫通するピン１８によって連結されている。また、ローラ１５とブシュ１３間にはグリース等の潤滑剤が充填されている。
そして、このローラチェーン１１においては、ローラ１５がころ軸受の外輪として機能し、１０個のころ１４がころ軸受の転動体として機能し、ブシュ１３がころ軸受の内輪として機能しており、したがって、ローラ１５と１０個のころ１４とブシュ１３とでころ軸受を構成している。
【００１８】
また、図１に示すように、ローラ１５の両端部にそれぞれリング状保持器１９，１９が配置されている。図２（Ａ），（Ｂ）に示すように、このリング状保持器１９の一側面には、凹部１９ｂが形成されており、この凹部１９ｂに連続して半円状のポケット１９ａが１０個形成されている。そして、このローラ１５の両端に配置されたリング状保持器１９，１９のポケット１９ａ，１９ａは、ころ１４の両端を保持して案内する。
【００１９】
図１に示すローラチェーン１１によれば、ローラ１５が回転する時、ローラ１５の内周面に接するころ１４が自転して、転がり接触が生じる。このころ１４の自転によってころ１４を案内するリング状保持器１９は、ブシュ１３の廻りを回転する。このとき、全１０個のころ１４が、左右に配置された半円状のポケット１９ａにより保持して案内されるため、ころ１４同士の接触や摩耗がなく、衝突音も生じない。
さらに、ころ１４同士の間に一定の隙間があり、グリース等の潤滑剤が適量でかつ均等に保持できる。さらに、摩耗粉や外部からの粉塵等の侵入物に対して逃げ（保持）のスペースがあるため、耐摩耗性が向上する。リング状保持器１９の回転方向は、ローラ１５の回転方向と同じである。これにより、ローラ１５とブシュ１３の間でころ１４の両端が規則正しく案内され、ローラ１５は円滑に回転する。
【００２０】
ころ１４を保持して案内する半円状のポケット１９ａは、ころ１４を強く把持したり、固定しないため、ころ１４の自転に伴い、リング状保持器１９との間では若干の滑りが生じるが、ころ１４及びリング状保持器１９は、ほとんど摩耗しない。
また、ラジアル荷重は、ローラ１５、ころ１４、ブシュ１３には作用するが、リング状保持器１９にはほとんど作用しないため、これによって摩耗や破壊が生じない。
【００２１】
リング状保持器１９の回転数は、ころ１４の直径や公転半径に関係なく、ローラ１５の回転数の約半分である。したがって、リング状保持器１９はローラ１５の回転よりも大きく減速されて回転するため、ローラ１５がスラスト荷重を受けた場合に、リング状保持器１９と内リンクプレート１２との摺動速度は遅くなる。このためリング状保持器１９の摩耗が抑制できる。
【００２２】
さらに、ローラチェーン１１は、ローラ１５につばがないため、加工が非常に容易であり、ローラ１５の生産性がよく、また、組立時もローラ１５にころ１４を挿入しやすく、ローラ１５の両端に配置されたリング状保持器１９，１９の半円状のポケット１９ａ，１９ａに嵌めたころ１４は、脱落しないため、組立性もよい。
【００２３】
本請求項２に係る発明の実施形態を図３，４，５を参照して説明する。
図３は、本請求項２に係る発明のころ軸受を組み込んだローラチェーンの断面図である。図４は、図３における円Ｄ部の拡大図であって、（Ａ）はローラとリング状保持器との間にラビリンスを形成したものを示し、（Ｂ）はリング状保持器に環状溝を形成したものを示し、（Ｃ）はローラとリング状保持器との間にシールリングを配置したものを示す。図５は、図３に示すローラチェーンの寸法関係を説明するためのローラチェーンの断面図である。
まず、図３に示すローラチェーン４１は、一対の内リンクプレート４２に両端部が連結されたブシュ４３の外周面にころ４４が１０個配置され、これらのころ４４を囲んでローラ４５が装着されている。また、内リンクプレート４２の外側に一対の外リンクプレート４７が配置され、一対の外リンクプレート４７がブシュ４３を貫通するピン４８によって連結されている。また、ローラ４５とブシュ４３間にはグリース等の潤滑剤が充填されている。
そして、このローラチェーン４１においては、ローラ４５がころ軸受の外輪として機能し、１０個のころ４４がころ軸受の転動体として機能し、ブシュ４３がころ軸受の内輪として機能しており、したがって、ローラ４５と１０個のころ４４とブシュ４３とでころ軸受を構成している。
【００２４】
また、図３に示すように、ローラ４５の両端部にそれぞれリング状保持器４９，４９が配置されている。図３，４に示すように、このリング状保持器４９の一側面には、ポケット４９ａが１０個形成されている。そして、このローラ４５の両端部に配置されたリング状保持器４９，４９のポケット４９ａ，４９ａは、ころ４４の両端を保持して案内する。
【００２５】
図３に示すローラチェーン４１は、ローラ４５とリング状保持器４９との間に密封手段を設け密封性を向上させている。図３に示すローラチェーン４１において、ローラ４５とリング状保持器４９との間には、図４に示すように、僅かな隙間を有する。そして、ローラ４５が回転するとリング状保持器４９も同一方向に異なる回転数で同時に回転する。
図４（Ａ）に示すものは、密封手段としてローラ４５とリング状保持器４９との間にラビリンスＲを形成したものである。また、図４（Ｂ）に示すものは、密封手段としてリング状保持器４９の外周面に３個の環状溝４９ｇを形成し、この環状溝４９ｇ内にグリースを充填している。さらに、図４（Ｃ）に示すものは、密封手段としてローラ４５とリング状保持器４９との間にＯリング等のシールリング４９ｓを配置したものである。これらの密封手段を設けることにより、ローラ４５とリング状保持器４９との間の僅かな隙間からグリース等の潤滑剤が外部に漏れることを防止でき、また、外部からの粉塵の侵入も防止ができる。
【００２６】
また、図３に示すローラチェーン４１の寸法関係を説明すると、図５に示すように、リング状保持器４９がローラ４５と重なり合う距離Ｌを、リング状保持器４９と内リンクプレート４２間の隙間Ｓ（Ｓ１＋Ｓ２）よりも大きく設定することでリング状保持器４９は脱落しない。また、この際、ころ４４の長さもポケット４９ａから外れない長さにする。
そして、その他の点は図１に示すローラチェーン１１とほぼ同様であり、作用効果もほぼ同様であるから、その他の説明は省略する。
【００２７】
本請求項３に係る発明の実施形態を図６，７を照して説明する。
図６は、本請求項３に係る発明のころ軸受を組み込んだローラチェーンの断面図である。図７は、図６のリング状保持器を示すものであって、（Ａ）はその断面図であり、（Ｂ）はその平面図である。
まず、図６に示すローラチェーン６１は、一対の内リンクプレート６２に両端部が連結されたブシュ６３の外周面に１０個のころ６４が配置され、これらのころ６４を囲んでローラ６５が装着されている。ローラ６５は、その内外周面がストレートな円筒状をしている。また、内リンクプレート６２の外側に一対の外リンクプレート６７が配置され、一対の外リンクプレート６７がブシュ６３を貫通するピン６８によって連結されている。また、ローラ６５とブシュ６３間にはグリース等の潤滑剤が充填されている。
そして、このローラチェーン６１においては、ローラ６５がころ軸受の外輪として機能し、１０個のころ６４がころ軸受の転動体として機能し、ブシュ６３がころ軸受の内輪として機能しており、したがって、ローラ６５と１０個のころ６４とブシュ６３とでころ軸受を構成している。
【００２８】
また、図６に示すように、ローラ６５の両端部にそれぞれリング状保持器６９，６９が配置されている。図７（Ａ），（Ｂ）に示すように、このリング状保持器６９の一側面には平面視略四角形のポケット６９ａが１０個形成されている。そして、このローラ６５の両端部に配置されたリング状保持器６９，６９のポケット６９ａ，６９ａは、ころ６４の両端を保持して案内する。
ここで、後述するような図８，９に示すローラチェーン７１に比較すると、ポケット７９ａを浅くしているため、その分、ころ７４の周囲の空間が大きくなり、グリース等の潤滑剤を保持するスペースが大きくなり、潤滑剤を適量でかつ均等に保持でき、また、摩耗粉や外部からの粉塵などの侵入物に対して逃げ（保持）のスペースとなり、耐摩耗性が向上する。
そして、その他の点は図１に示すローラチェーン１１とほぼ同様であり、作用効果もほぼ同様であるから、その他の説明は省略する。
【００２９】
本請求項３に係る発明の別の実施形態を図８，９を参照して説明する。
図８は、本請求項３に係る発明のころ軸受を組み込んだローラチェーンの別の実施形態を示す断面図である。図９は、図８に示すローラチェーンに使用するリング状保持器を示すものであって、（Ａ）はその断面図であり、（Ｂ）はその平面図である。
まず、図８に示すローラチェーン７１は、一対の内リンクプレート７２に両端部が連結されたブシュ７３の外周面に１０個のころ７４が配置され、これらのころ７４を囲んでローラ７５が装着されている。ローラ７５は、その内外周面がストレートな円筒状をしている。
また、内リンクプレート７２の外側に一対の外リンクプレート７７が配置され、一対の外リンクプレート７７がブシュ７３を貫通するピン７８によって連結されている。また、ローラ７５とブシュ７３間には、グリース等の潤滑剤が充填されている。
そして、このローラチェーン７１においては、ローラ７５がころ軸受の外輪として機能し、１０個のころ７４がころ軸受の転動体として機能し、ブシュ７３がころ軸受の内輪として機能しており、したがって、ローラ７５と１０個のころ７４とブシュ７３とでころ軸受を構成している。
【００３０】
また、図８に示すように、ローラ７５の両端部にそれぞれリング状保持器７９，７９が配置されている。図９（Ａ），（Ｂ）に示すように、このリング状保持器７９の一側面には平面視略四角形のポケット７９ａが１０個形成されている。そして、このローラ７５の両端部に配置されたリング状保持器７９，７９のポケット７９ａ，７９ａは、ころ７４の両端を保持して案内する。
【００３１】
この各ポケット７９ａは、図６，７に示すポケット６９ａに比べてポケットの深さを深くしたものである。この場合、リング状保持器７９の向かい合う端面が互いに接しない限り、ポケット７９ａの深さを深くしてもよい。また、向かい合うポケット７９ａの深さは同じ深さである必要はない。
要するに、ポケット７９ａを深くすることでころ７４を案内するポケット７９ａの強度が増加し、さらに、ころ７４が傾きにくいため、スキューの防止にもつながり、より一段と確実にころ７４の両端を保持して案内できる。
そして、その他の点は図１に示すローラチェーン１１とほぼ同様であり、作用効果もほぼ同様であるから、その他の説明は省略する。
【００３２】
本請求項４に係る発明の実施形態を図１０，１１を参照して説明する。
図１０は、本請求項４に係る発明のころ軸受を組み込んだローラチェーンの断面図である。図１１は、図１０に示すローラチェーンに使用するリング状保持器の平面図である。
まず、図１０に示すローラチェーン８１は、一対の内リンクプレート８２に両端部が連結されたブシュ８３の外周面に１０個のころ８４が配置され、これらのころ８４を囲んでローラ８５が装着されている。１０個のころ８４は、その両端部に小径部８４ａを有している。ローラ８５は、その内外周面がストレートな円筒状をしている。また、内リンクプレート８２の外側に一対の外リンクプレート８７が配置され、一対の外リンクプレート８７がブシュ８３を貫通するピン８８によって連結されている。また、ローラ８５とブシュ８３間にはグリース等の潤滑剤が充填されている。
そして、このローラチェーン８１においては、ローラ８５がころ軸受の外輪として機能し、１０個のころ８４がころ軸受の転動体として機能し、ブシュ８３がころ軸受の内輪として機能しており、したがって、ローラ８５と１０個のころ８４とブシュ８３とでころ軸受を構成している。
【００３３】
また、図１０に示すように、ローラ８５の両端部にそれぞれリング状保持器８９，８９が配置されている。図１１に示すように、このリング状保持器８９の一側面にはころ８４の小径部８４ａを保持して案内する１０個のポケット８９ａが形成されている。
そして、これらのポケット８９ａの直径は、小径部８４ａの直径とほぼ同じ直径に形成されていることにより、ころ８４の小径部８４ａ全体を保持して案内できるため、ころ８４が傾きにくくなる。このため、スキューの防止にもつながり、より確実にころ８４を案内できる。
そして、その他の点は図１に示すローラチェーン１１とほぼ同様であり、作用効果もほぼ同様であるから、その他の説明は省略する。
【００３４】
本請求項５に係る発明の実施形態を図１２，１３を参照して説明する。
図１２は、本請求項５に係る発明のころ軸受を組み込んだローラチェーンの断面図である。図１３は、図１２のリング状保持器を示すもので、（Ａ）はその断面図であり、（Ｂ）はその平面図である。図１２に示すローラチェーン１１１は、図１に示すローラチェーン１１においてブシュ１３を使用しないローラチェーン（ブシュレスチェーン）である点でのみ相違する。
図１５に示すローラチェーン１１１は、一対の内リンクプレート１１２が嵌合されたピン１１８の両端部に一対の外リンクプレート１１７が連結され、ピン１１８の外周面に１０個のころ１１４が配置され、これらのころ１１４を囲んでローラ１１５が装着されている。また、ローラ１１５とピン１１８間にはグリース等の潤滑剤が充填されている。
そして、このローラチェーン１１１においては、ローラ１１５がころ軸受の外輪として機能し、１０個のころ１１４がころ軸受の転動体として機能し、ピン１１８がころ軸受の内輪として機能しており、したがって、ローラ１１５と１０個のころ１１４とピン１１８とでころ軸受を構成している。
【００３５】
また、図１２に示すように、ローラ１１５の両端部にそれぞれリング状保持器１１９，１１９を配置されている。図１３（Ａ），（Ｂ）に示すように、このリング状保持器１１９の一側面には凹部１１９ｂが形成されており、この凹部１１９ｂに連続して半円状のポケット１１９ａが１０個形成されている。そして、このローラ１１５の両端部に配置されたリング状保持器１１９，１１９に配置された半円状のポケット１１９ａ，１１９ａは、ころ１１４の両端を保持して案内するため、ころ１１４同士の接触や摩耗がなく、衝突音も生じない。
さらに、ころ１１４同士の間に一定の隙間があり、グリース等の潤滑剤が適量でかつ均等に保持できる。さらに、摩耗粉や外部からの粉塵等の侵入物に対して逃げ（保持）のスペースがあるため、耐摩耗性が向上する。
そして、その他の点は図１に示すローラチェーン１１とほぼ同様であり、作用効果もほぼ同様であるから、その他の説明は省略する。
【００３６】
なお、上述したような本発明におけるリング状保持器は、耐摩耗性のある金属製（銅合金や含油焼結合金）や潤滑性のある樹脂でもよい。また、表面処理を施したり、表面粗さを変えたり、ショットやＷＰＣなどによってくぼみを付けるなど潤滑性が向上する加工を施すことも可能である。
【００３７】
また、リング状保持器に形成されるポケットの形状は、ころの端面形状と相似形や円形、楕円、半月状さらに多角形でもよい。ポケットの大きさは、特に限定しないが、ころの直径と同等以上の方が円滑に自転できる。また、ころの外周全体を覆わなくても、一部分がころと接触し案内できればよい。さらに、このポケットは連結していてもよく、かつすべて同じ形状である必要はない。
【００３８】
また、本発明では、グリース等の潤滑剤を充填して使用するが、グリース等の潤滑剤が使えない場合でも、ころ同士の滑りがないため、無給油でも使用可能である。さらに、リング状保持器に耐熱性を有する材料を使用すれば、高温でも使用できる。
【００３９】
【発明の効果】
上述したような本発明のころ軸受を組み込んだローラチェーンは、特有の構成を備えていることによって、以下のような効果を奏する。
（１）ローラの両端部に配置されたリング状保持器でころの両端を確実に保持して案内するため、ころ軸受が円滑に転がり、転がり抵抗が減少する。
（２）ころ同士の滑り摩耗がなくなるため、無給油化、メンテナンス期間の延長が可能になる。
（３）ころ同士の接触がなく、ころの端面とローラのつばとの金属接触がなく、ローラの加工形状精度が上がるため、低騒音化が可能になる。
（４）ローラの両端部に内向きのつばがないため、ローラの加工が非常に容易であるから生産性がよく、かつ、リング状保持器には、ころが収まるポケットがあり、組立時にころが倒れたり個数を間違ったりすることがないため、組立性がよい。
（５）リング状保持器とローラ間の接触面積、及びリング状保持器と内リンクプレート間の接触面積が増えて、摩耗を抑制できるとともにころのスキューも防止できるので、ローラのスラスト荷重性能が向上する。
（６）ローラの両端部に配置されたリング状保持器のポケットでころの両端を保持して案内するため、転がりの振動が減少する。
（７）リング状保持器のポケットにより各ころの一部分を左右から、すなわち、ころの両端を保持して案内するため、スキューが生じにくく、ローラは、蛇行せずに真直ぐに転がる。特に、ころ軸受を組み込んだローラチェーンにおいては、しゃくり現象や蛇行が生じにくい。
（８）グリース等の潤滑剤の漏れや外部からの粉塵の侵入を防止でき、ころ間に均一に適量のグリース等の潤滑剤が長期に亙って保持できるため、ころ軸受の寿命が向上する。
（９）ころに合ったポケットを設けたリング状保持器を射出成形で容易に製作できるため、安価に製作できる。また、ころの両端を保持して案内するポケットが左右に離れて存在するため、ころの長さが変化しても、リング状保持器は、１種類で対応でき、多種類のリング状保持器を用意する必要がない。
【００４０】
特に、本請求項１に係る発明では、複数のころが左右に配置された半円状のポケットにより保持して案内されるため、ころ同士の摩耗や衝突音が生じないばかりでなく、ころ同士の間に一定の隙間があり、グリース等の潤滑剤が適量でかつ均等に保持でき、摩耗粉や外部からの粉塵等の侵入物に対して逃げ（保持）のスペースがあるため、耐摩耗性が向上する。
【００４１】
また、本請求項２に係る発明では、ローラとリング状保持器との間に密封手段を設けることにより、ローラとリング状保持器との間の僅かな隙間からグリース等の潤滑剤が外部に漏れることを防止でき、また、外部からの粉塵の侵入も防止ができる。
【００４２】
本請求項３に係る発明では、複数のころがリング状保持器の一側面に複数形成した平面視略四角形のポケットにより保持して案内されるため、ころの周囲の空間が大きくなり、グリース等の潤滑剤を保持するスペースが大きくなり、潤滑剤を適量でかつ均等に保持でき、また、摩耗粉や外部からの粉塵などの侵入物に対して逃げ（保持）のスペースとなり耐摩耗性が向上する。
【００４３】
本請求項４に係る発明では、ころの小径部がリング状保持器の一側面に複数形成した小径部とほぼ同じ直径のポケットにより保持して案内されるため、ころが傾きにくく、スキューの防止にもつながり、より確実にころを案内できる。
【００４４】
本請求項５に係る発明では、複数のころが左右に配置された半円状のポケットにより保持して案内されるため、ころ同士の摩耗や衝突音が生じないばかりでなく、ころ同士の間に一定の隙間があり、グリース等の潤滑剤が適量でかつ均等に保持でき、摩耗粉や外部からの粉塵等の侵入物に対して逃げ（保持）のスペースがあるため、耐摩耗性が向上する。
【図面の簡単な説明】
【図１】本請求項１に係るころ軸受を組み込んだローラチェーンの断面図。
【図２】図１のリング状保持器を示すもので、（Ａ）はその断面図であり、（Ｂ）はその平面図。
【図３】本請求項２に係るころ軸受を組み込んだローラチェーンの断面図。
【図４】図３における円Ｄ部の拡大図であって、（Ａ）はローラとリング状保持器との間にラビリンスを形成したものを示し、（Ｂ）はリング状保持器にリング状の溝を形成したものを示し、（Ｃ）はローラとリング状保持器との間にシールリングを配置したものを示す図。
【図５】図３に示すローラチェーンの寸法関係を説明する図。
【図６】本請求項３に係るころ軸受を組み込んだローラチェーンの断面図。
【図７】図６のリング状保持器を示すものであって、（Ａ）はその断面図であり、（Ｂ）はその平面図。
【図８】本請求項３に係るころ軸受を組み込んだローラチェーンの別の実施形態を示す断面図。
【図９】図８のリング状保持器を示すものであって、（Ａ）はその断面図であり、（Ｂ）はその平面図。
【図１０】本請求項４に係るころ軸受を組み込んだローラチェーンの断面図。
【図１１】図１０に示すローラチェーンに使用するリング状保持器の平面図。
【図１２】本請求項５に係るころ軸受を組み込んだローラチェーンの断面図。
【図１３】図１２のリング状保持器を示すものであって、（Ａ）はその断面図であり、（Ｂ）はその平面図。
【図１４】従来のローラチェーンの断面図。
【図１５】別の従来のローラチェーンの断面図。
【符号の説明】
１１，４１，６１，７１，８１，１１１・・・ローラチェーン
１２，４２，６２，７２，８２，１１２・・・内リンクプレート
１３，４３，６３，７３，８３，１１３・・・ブシュ
１４，４４，６４，７４，８４，１１４・・・ころ
１５，４５，６５，７５，８５，１１５・・・ローラ
１７，４７，６７，７７，８７，１１７・・・外リンクプレート
１８，４８，６８，７８，８８，１１８・・・ピン
１９，４９，６９，７９，８９，１１９・・・リング状保持器
１９ａ，４９ａ，６９ａ，７９ａ，８９ａ，１１９ａ・・・ポケット
１９ｂ，１１９ｂ・・・凹部
４９ｇ・・・環状溝
４９ｓ・・・シールリング
６０  ・・・仕切り板
８４ａ・・・小径部
Ｒ・・・ラビリンス
Ｌ・・・距離
Ｓ，Ｓ１，Ｓ２・・・隙間
【図１】
0003563354.tif 000002
【図２】
0003563354.tif 000003
【図３】
0003563354.tif 000004
【図４】
0003563354.tif 000005
【図５】
0003563354.tif 000006
【図６】
0003563354.tif 000007
【図７】
0003563354.tif 000008
【図８】
0003563354.tif 000009
【図９】
0003563354.tif 000010
【図１０】
0003563354.tif 000011
【図１１】
0003563354.tif 000012
【図１２】
0003563354.tif 000013
【図１３】
0003563354.tif 000014
【図１４】
0003563354.tif 000015
【図１５】
0003563354.tif 000016